(57)【要約】【課題】造影剤の流れ、撮影タイミングを一目で見ることのできる画像表示を行い、ＣＴ撮影したい領域を最適な撮影タイミングで回転撮影するＸ線ＣＴ装置を提供する。【解決手段】被検体のマスク像と経時的に撮影した複数時相のライブ像とを差分して複数時相の差分画像を生成し、各部位における造影剤濃度が最も濃い時間（ＴＰ）を異なる表示態様により表現した一の造影剤ピーク時相像４０を生成する。造影剤ピーク時相像４０上に関心領域を設定し、関心領域の回転撮影を行う撮影時間を自動決定する、又は所望する撮影時間の入力を受け付ける撮影計画手段を備え、撮影時間において関心領域の回転撮影を実行する。【選択図】図４
2007021006.tif 000002
【特許請求の範囲】
【請求項１】
Ｘ線を照射するＸ線源と、
被検体をはさんで前記Ｘ線源に対向配置され、Ｘ線を検出して投影データを出力するＸ線検出器と、
前記Ｘ線源及び前記Ｘ線検出器を搭載して回転可能な回転手段と、
前記Ｘ線源、前記Ｘ線検出器、及び前記回転手段を所望の時相で回転撮影するために制御する撮影制御手段と、
前記投影データに基づいて画像再構成処理を行う再構成手段と、
前記被検体に造影剤を注入する前に撮影したマスク像と、前記被検体に造影剤を注入して経時的に撮影した複数時相のライブ像と、をそれぞれ差分処理することにより複数時相の差分画像を生成する差分手段と、
前記複数時相の差分画像に基づいて、各部位における造影剤濃度を異なる表示態様とした一の造影剤ピーク時相像を生成する生成手段と、
前記生成された造影剤ピーク時相像を表示する表示手段と、
前記表示された造影剤ピーク時相像上に関心領域を設定する設定手段と、
前記設定された関心領域の回転撮影を行う撮影時間を自動決定する、又は所望する撮影時間の入力を受け付け、撮影時間を計画する撮影計画手段と、を備え、
前記撮影制御手段は、前記計画された撮影時間において前記関心領域の回転撮影を実行する制御を行う、
ことを特徴とするＸ線ＣＴ装置。
【請求項２】
前記被検体に注入する造影剤の注入量及び注入時相を制御するインジェクタ制御手段を更に備え、
前記撮影制御手段は、前記インジェクタ制御手段に造影剤の注入制御指示を行ってからの経過時間に基づいて回転撮影を実行する、
ことを特徴とする請求項１に記載のＸ線ＣＴ装置。
【請求項３】
前記撮影計画手段は、前記複数時相の差分画像に基づいて各画素毎の時間濃度曲線を生成し、その時間濃度曲線において濃度値が最も高い時間を中心に撮影開始時間及び撮影終了時間を算出して撮影時間を決定する、
ことを特徴とする請求項１又は２に記載のＸ線ＣＴ装置。
【請求項４】
所望する撮影時間を入力するための撮影時間入力手段を更に備え、
前記撮影計画手段は、前記入力手段により入力された撮影時間において回転撮影した場合に得られると予想される最大値画像及び最小値画像又は平均値画像を前記複数時相の差分画像に基づいて生成し、
前記表示手段は、前記最大値画像及び最小値画像又は平均値画像を表示する、
ことを特徴とする請求項１又は２に記載のＸ線ＣＴ装置。
【請求項５】
断層像の所望する濃度値の閾値を入力するための閾値入力手段を更に備え、
前記撮影計画手段は、前記複数時相の差分画像に基づいて前記関心領域を構成する画素の時間濃度曲線を生成し、その時間濃度曲線における前記閾値に対応する時間を撮影開始時間及び撮影終了時間とする撮影時間を算出し、その撮影時間において回転撮影を行ったときに得られると予想される濃度値を用いて表示した予想画像を生成し、
前記表示手段は、前記予想画像を表示する、
ことを特徴とする請求項１又は２に記載のＸ線ＣＴ装置。
【発明の詳細な説明】
【技術分野】
【０００１】
本発明は、Ｘ線ＣＴ装置に係り、特に、血管造影撮影において最適な撮影タイミングで投影データを収集し、３次元的Ｘ線ＣＴ像を再構成するのに有効な技術に関する。
【背景技術】
【０００２】
近年、血管内にカテーテルを挿入して動脈瘤や腫瘍の治療を行う、ＩＶＲと呼ばれる手技が行われている。ＩＶＲ（インターベンショナルラジオロジー）を行うには、挿入したカテーテル位置の確認、治療を行う動脈瘤の３次元的な形状または腫瘍の判定が必要である。前者のカテーテル位置の確認には、造影剤を血管に入れ１方向もしくは直交する２方向の複数時相のＤＳＡ（デジタルサブトラクション）撮影を行うＸ線装置を用い、造影される血管及び造影剤の流れから、当該カテーテルが正しい位置にあるかどうかを同定する。一方、後者の動脈瘤の３次元的な形状または腫瘍の判定を行うには、ＣＴ装置もしくはそれに代わる装置が必要である。動脈瘤の治療の一例としてコイルによる塞栓、一方、腫瘍の治療には抗癌剤と塞栓物質が用いられ、この間透視Ｘ線撮影を断続的に用い、カテーテルまたはコイル位置、造影剤流れを絶えず確認しながら手技が行われる。
【０００３】
手技の時間の大部分はＸ線血管撮影装置の下で進められるが、動脈瘤の３次元的な形状または腫瘍の判定にはＣＴの機能が要求される。従来は患者にカテーテルを刺したままＣＴ装置まで移動させ実施してきたが、この方法を用いると患者に負担をかけるだけでなく、患者移動中にカテーテル位置が少なからず移動するため、カテーテル位置を末梢血管まで移動して行う選択的な血管造影による腫瘍判定が困難である。このため、Ｘ線血管撮影装置に回転撮影機能を設け、ＣＴ装置としての機能を持たせたＸ線診断装置が開発されてきた。
【０００４】
このＸ線診断装置では、上述のようにまずカテーテル位置を複数造影時相のＤＳＡ撮影で確認する。その後、この複数造影時相のＤＳＡ撮影をシネ表示してＣＴ撮影のための撮影タイミングを計る。血流の速さには個人差があり、特に造影剤を動脈に注入して静脈相をＣＴ撮影する場合には、この造影時相像を表示して、ＣＴ撮影したい領域の撮影タイミングを事前に決めないと、撮影タイミングを外す恐れがある。一方、造影剤量は特に頭部脳血管においては虚血性後遺症の恐れがあるため、少なく抑える事が要求されている。しかし、従来の造影時相像表示はシネ表示であり、撮影タイミングを正確に決めるために、動画像を何度も順送りしたり、逆戻ししたりする必要があった。
【０００５】
これに対し、１方向からの複数タイミングの造影撮影から経時差分ピークホールド像を作成、造影時相ごとに色分けまたは白黒縞で分けて、１枚に重ね合わせた造影血管像を表示する方法として特許文献１に記載の従来技術がある。
【特許文献１】特開平６-１６５０３５号公報。
【発明の開示】
【発明が解決しようとする課題】
【０００６】
しかし特許文献１は、造影血管時相像の表示に留まり、ＣＴ撮影のタイミングを決めるものではない。また、ピークホールドを用いて処理を行うため、造影開始のタイミングは分かるが、造影剤の抜けるタイミングが分からないものになっている。
【０００７】
本発明は以上に鑑み、カテーテル位置確認のために撮影した複数時相のＤＳＡ像を用いて、造影剤の流れ、撮影タイミングを一目で見ることのできる画像表示を行い、ＣＴ撮影したい領域の撮影タイミングを正確に把握した上で、最適な撮影タイミングを設定して、造影ＣＴ撮影を行うシステムを提供することを目的とする。
【課題を解決するための手段】
【０００８】
上記目的を達成するために、本発明に係るＸ線ＣＴ装置は、Ｘ線を照射するＸ線源と、被検体をはさんで前記Ｘ線源に対向配置され、Ｘ線を検出して投影データを出力するＸ線検出器と、前記Ｘ線源及び前記Ｘ線検出器を搭載して回転可能な回転手段と、前記Ｘ線源、前記Ｘ線検出器、及び前記回転手段を所望の時相で回転撮影するために制御する撮影制御手段と、前記投影データに基づいて画像再構成処理を行う再構成手段と、前記被検体に造影剤を注入する前に撮影したマスク像と、前記被検体に造影剤を注入して経時的に撮影した複数時相のライブ像と、をそれぞれ差分処理することにより複数時相の差分画像を生成する差分手段と、前記複数時相の差分画像に基づいて、各部位における造影剤濃度を異なる表示態様とした一の造影剤ピーク時相像を生成する生成手段と、前記生成された造影剤ピーク時相像を表示する表示手段と、前記表示された造影剤ピーク時相像上に関心領域を設定する設定手段と、前記設定された関心領域の回転撮影を行う撮影時間を自動決定する、又は所望する撮影時間の入力を受け付け、撮影時間を計画する撮影計画手段と、を備え、前記撮影制御手段は、前記計画された撮影時間において前記関心領域の回転撮影を実行する制御を行う、ことを特徴とする。
【０００９】
また、前記被検体に注入する造影剤の注入量及び注入時相を制御するインジェクタ制御手段を更に備え、前記撮影制御手段は、前記インジェクタ制御手段に造影剤の注入制御指示を行ってからの経過時間に基づいて回転撮影を実行してもよい。
【００１０】
また、前記撮影計画手段は、前記複数時相の差分画像に基づいて各画素毎の時間濃度曲線を生成し、その時間濃度曲線において濃度値が最も高い時間を中心に撮影開始時間及び撮影終了時間を算出して撮影時間を決定してもよい。
【００１１】
また、所望する撮影時間を入力するための撮影時間入力手段を更に備え、前記撮影計画手段は、前記入力手段により入力された撮影時間において回転撮影した場合に得られると予想される最大値画像及び最小値画像又は平均値画像を前記複数時相の差分画像に基づいて生成し、前記表示手段は、前記最大値画像及び最小値画像又は平均値画像を表示してもよい。
【００１２】
また、断層像の所望する濃度値の閾値を入力するための閾値入力手段を更に備え、前記撮影計画手段は、前記複数時相の差分画像に基づいて前記関心領域を構成する画素の時間濃度曲線を生成し、その時間濃度曲線における前記閾値に対応する時間を撮影開始時間及び撮影終了時間とする撮影時間を算出し、その撮影時間において回転撮影を行ったときに得られると予想される濃度値を用いて表示した予想画像を生成し、前記表示手段は、前記予想画像を表示してもよい。
【発明の効果】
【００１３】
本発明によれば、造影剤ピーク時相像上に各部位における造影剤のピーク時相が表示されるため、一の造影剤ピーク時相像をみるだけで撮影タイミングを把握し最適な撮影タイミングを設定して造影ＣＴ撮影を行うことができる。更に、その撮影タイミングに応じて回転撮影を行うことにより、注入する造影剤量の適正化を図ることができる。
【発明を実施するための最良の形態】
【００１４】
以下、添付図面に従って本発明に係るＸ線ＣＴ装置の好ましい実施の形態について詳説する。
【００１５】
図１は、本発明を適用したＣ型アーム方式のコーンビームＸ線ＣＴ装置の概略構成を示すブロック図である。
【００１６】
図１のコーンビームＸ線ＣＴ装置１は、被検体２に対してＸ線を照射し、被検体２のＸ線透過画像を撮影して投影データを得る撮影部１０と、撮影部１０の各構成要素を制御したり、投影データに基づいて被検体２の３次元的Ｘ線ＣＴ像を再構成したりする制御演算部２０とを備える。
【００１７】
（撮影部１０）
撮影部１０は、被検体２を載せる寝台１７と、寝台１７に載せられた被検体２にＸ線を照射するＸ線源１１、Ｘ線源１１に対向する位置に設置され、被検体２を透過したＸ線を検出することにより投影データを出力する２次元Ｘ線検出器（ＦＰＤ）１２と、Ｘ線源１１及び２次元Ｘ線検出器１２を機械的に接続するＣ型アーム１３とを備える。また撮影部１０は、Ｃ型アーム１３を保持するＣ型アーム保持体１４と、Ｃ型アーム保持体１４を天井に取り付ける天井支持体１５と、天井支持体１５を図１の状態で、前後左右の２次元方向に移動可能に支持する天井レール１６と、被検体２に造影剤を注入するインジェクタ１８とを備える。
【００１８】
Ｘ線源１１は、Ｘ線を発生するＸ線管１１ｔと、Ｘ線管１１ｔからのＸ線照射の方向を円錐または四角錐状に制御するコリメータ１１ｃとを備える。
【００１９】
２次元Ｘ線検出器１２は、ＴＦＴ素子を用いるＦＰＤを用いて構成したが、Ｘ線透過像を可視光像に変換するＸ線イメージインテンシファイアと、Ｘ線イメージインテンシファイアによる可視光像を撮影するテレビカメラとにより構成してもよい。
【００２０】
上記Ｃ型アーム１３は、被検体２の撮影に際して、所定の投影角度毎に回転中心軸４を中心として回転移動する。これにより、上記Ｘ線源１１及び２次元Ｘ線検出器１２は、ほぼ同一の円軌道上で回転移動しながら、Ｘ線撮影を行う。この回転移動は、回転中心軸４を中心に、Ｘ線源１１と２次元Ｘ線検出器１２とが描く円軌道を含む面である回転軌道面（ミッドプレーン）３上で行われる。
【００２１】
（制御演算部２０）
制御演算部２０は、撮影部１０を制御する撮影部制御手段１００と、撮影部１０が出力した投影データを収集して格納する画像収集手段１１０と、収集された投影データに基づいて３次元的Ｘ線ＣＴ像を再構成する再構成手段１２０と、表示装置８０に画像を表示するための制御を行う画像表示手段１３０と、撮影計画（スキャン計画）を立てるための撮影計画手段２００とを備える。この撮影計画手段２００は、関心領域の設定、撮影時間の入力、所望するＣＴ値又は造影剤の濃度値の閾値設定を行うためのキーボードやマウスからなる情報入力装置７０に接続される。
【００２２】
撮影部制御手段１００は、Ｃ型アーム１３が、回転中心軸４の回りを回転する（以下、「プロペラ回転」という。）回転移動を制御する撮影系回転制御手段１０１と、天井支持体１５の天井レール１６上での位置を制御してＣ型アーム１３の被検体２に対する位置を２次元的に制御する撮影系位置制御手段１０２とを備える。更に撮影部制御手段１００は、Ｘ線管１１ｔに流す管電流のＯＮ、ＯＦＦなどを制御するＸ線照射制御手段１０３と、インジェクタ１８が被検体２に注入する造影剤の注入量及び注入タイミングを制御するインジェクタ制御手段１０４と、寝台１７の位置を制御して被検体２の位置を調整するための寝台位置制御手段１０５と、２次元Ｘ線検出器１２によるＸ線透過像の撮影を制御する検出系制御手段１０６とを備える。
＜第一実施形態＞
図２乃至６に基づいて本発明の第一実施形態に係る動作フローを示す。図２は、第一実施形態の処理の流れを示すフローチャートである。図３は、複数時相のＤＳＡ画像を示す模式図である。図４は、造影剤ピーク時相像を示す模式図である。図５は、造影剤ピーク時相像４０の生成方法を説明する模式図である。図６は、造影剤ピーク時相像４０上で関心領域を設定する方法を示す模式図である。
【００２３】
（ステップＳ１００）
ステップＳ１００は、ＤＳＡ撮影及び回転撮影の準備をする処理である（Ｓ１００）。被検体２を寝台１７に載置してカテーテルを挿入する。次に、被検体２にインジェクタ１８から造影剤を注入する。インジェクタ制御手段１０４は、インジェクタ１８から造影剤を注入する指示をし、撮影計画手段２００は、インジェクタ１８が造影剤を注入してからの経過時間を計測する。
【００２４】
（ステップＳ１１０）
ステップＳ１１０は、通常のＩＶＲ手技中に行われるカテーテル位置を確認するために行うＸ線撮影である（Ｓ１１０）。ＤＳＡ撮影とは、造影開始後のライブ像から、造影開始前のマスク像を引き算して表示する、デジタルサブトラクション撮影の事である。Ｓ１００でインジェクタ１８が造影剤を注入してからの経過時間を計測しながら、ライブ像を撮影する。例えば、０．５秒の間隔で２０〜３０枚のライブ像を撮影し、これらのライブ像とマスク像とを差分処理することにより２０〜３０枚の差分画像を生成することにより複数時相の差分画像を得るが、図３では模式的に６枚の差分画像３０、３１、…、３５を記載する。
【００２５】
図３の差分画像３０、３１、…、３５は、画像の表示色の濃淡と造影剤の濃度とを一致させて表示している。差分画像３０、３１、…、３５は、徐々に造影剤の濃度が高い部分（表示色が濃い部分）が差分画像３０、３１、…、３５の上に向かって移動している。これは、時間を経るに従って首から頭部血管に向かって造影剤が流入するとともに造影剤の濃度が最も濃い時間（ピークタイム）を経過すると、造影剤の濃度が徐々に薄くなることを示す。
【００２６】
（ステップＳ１２０）
ステップＳ１２０は、ステップＳ１１０で収集した複数時相の差分画像の各点において、造影剤の最も濃い時間情報を得る処理である。造影剤の最も濃い時間情報は、複数時相のＤＳＡ像において各画素ごとに最も濃度が高くなる時相を選び出す事により実施される。その際、造影剤ピーク時相像に、造影血管以外の領域が混在して表示されると著しく診断能を妨げるため、閾値を設け、ＤＳＡ撮影像の差が常に小さい領域の時相情報はブランクとする（血管領域ではないため表示する意味がない）事に留意する。
【００２７】
撮影計画手段２００は、図３の差分画像３０、３１、…、３５に基づいて、図４に示す各画素点における時間濃度曲線４１を生成し、その時間濃度曲線における濃度値が最も高くなる時間（ピークタイム「ＴＰ」で示す）を求める。
【００２８】
（ステップＳ１３０）
ステップＳ１３０は、ステップＳ２２０で得た時相情報を色分けまたは白黒縞に分けて１枚に表示した造影剤ピーク時相像４０を生成・表示する（Ｓ１３０）。
【００２９】
撮影計画手段２００は、ＴＰを色分けして一枚の画像に表示した造影剤ピーク時相像４０を生成する。このとき、図５に示すように、画素Ａのピーク濃度値と画素Ｂのピーク濃度値が異なっていてもピークとなる時相が同じ時相区間であれば同一の色が割り当てられる。
【００３０】
造影剤ピーク時相像４０の色の濃淡は、造影剤の濃さではなく、造影剤濃度のピークタイムを示す。例えば、図４の４０ａは、造影剤を注入してから４秒後に造影剤の濃度が最も高くなることを示し、４０ｂは、造影剤を注入してから４.５秒後の造影剤の濃度が最も濃くなることを示す。撮影計画手段２００は、生成した造影剤ピーク時相像４０を画像表示手段１３０に送出し、画像表示手段１３０は、表示装置８０に造影剤ピーク時相像４０を表示する。
【００３１】
（ステップＳ１４０）
ステップＳ１４０では、操作者が造影剤ピーク時相像４０を表示した表示装置８０上で、ＣＴ撮影を行いたい領域をマウスまたは手でポイントする。ポイント領域（関心領域に相当する）と時相が対応しているので、ポイントする事によりＣＴ撮影の時相を設定することができる。末梢血管においては当該血管が細くなりマウスポイントが容易でない事に鑑み、ポイントした位置から最も近い血管を捜し、そこでの時相を設定する機能を有する事が望ましい。
【００３２】
撮影計画手段２００は、モニタ上の造影剤ピーク時相像４０で指定されたポイント領域のＴＰを基準とし所定時間前を撮影開始時間ＴＳ、所定時間後を撮影終了時間ＴＥとし、撮影タイミングを決定する（Ｓ１４０）。図４及び５の時間濃度曲線において網かけをしてある領域が撮影タイミングに相当する。図６では、動脈領域の４０ｂが指定されている。この場合の撮影タイミングは、例えば４０ｂのピークタイムが造影剤を注入してから４.５秒であるので、このピークタイム前２．５秒を撮影開始時間とし、ピークタイム後２．５秒を撮影終了時間とする。これにより、撮影タイミングは、造影剤を注入してから２秒から７秒に決定される。
【００３３】
（ステップＳ１５０）
ステップＳ１５０は、ステップＳ１４０で設定した撮影タイミングで２次元Ｘ線検出器１２による回転撮影を行う（Ｓ１５０）。撮影計画手段２００は、インジェクタ制御手段１０４にインジェクタ１８に対する造影剤注入指示を送る。インジェクタ制御手段１０４は、インジェクタ１８に造影剤を注入させ、注入してからの経過時間を計測する。撮影系回転制御手段１０１、検出系制御手段１０６を含む撮影部制御手段１００は、撮影計画手段２００が決定した撮影タイミングに回転撮影を行う。
【００３４】
（ステップＳ１６０）
ステップＳ１６０は、ステップＳ１５０で撮影して得た投影データにより、ＣＴ再構成を行い、動脈瘤の３Ｄ像や腫瘍のＣＴスライス像を表示する（Ｓ１６０）。
【００３５】
図７は、Ｓ１４０で決定した撮影タイミングでカテーテルを内頸動脈の位置まで持っていき、前頭葉、側頭葉、頭頂葉を造影した結果画像１０７を模式的に示した図である。図７の内頸動脈相の撮影の場合は、注入レート２．２ml/秒、総量１２mlの造影剤を注入し、造影開始２秒後から、７秒後の５秒間で回転撮影を行った。さらに、カテーテルを動脈位置に置き、静脈時相を撮影してもよい。この静脈相撮影の場合は、動脈撮影とほぼ同じ、注入レート、造影剤総量であるが、撮影タイミングが、造影開始７秒後から１２秒後の５秒間になる。
【００３６】
図８は、本実施の形態を用いて被検体２の頭部を撮影して得た頭部、動脈瘤患者の３Ｄ表示像１０８である。健常者には、この動脈瘤自体がない。この症例では、ステップＳ１００でカテーテルを椎骨動脈の位置まで持っていき、後頭葉を造影した。図８の場合も注入レート２ml/秒、総量１２mlの造影剤を注入し、造影開始２秒後から７秒後の５秒間で動脈相を回転撮影した。
【００３７】
造影剤総量１２mlというのは、かなり造影剤量を減らしたといえる結果である。従来のように、撮影タイミングを適切にとれない場合には、通常２０mlの造影剤が必要になり、脳血管造影では虚血性の後遺症が発生する可能性がより高くなる。しかし、本実施形態では、撮影タイミングが適切にとられることにより、造影剤の量を減らし虚血性の後遺症の発生を逓減し、回転撮影のやり直しなどによる無効被爆を逓減することができる。
【００３８】
以上は、脳血管造影の場合の造影であるが、腹部造影や、同じ頭部でも顔表面（外頸動脈）の場合は、造影剤注入レート、造影剤総量、撮影タイミングが異なる。
【００３９】
本実施形態により、一枚の造影剤ピーク時相像４０をみればＤＳＡ画像に含まれる血管の造影剤のピークタイムを視認することができ、シネ表示しながら造影剤のピークタイムを探す場合に比べて撮影操作性を向上させることができる。更に、モニタ上の造影剤ピーク時相像４０で回転撮影を所望する部位を指定するだけで、造影剤のピークタイムを考慮した撮影タイミングが自動的に決定することができる。その結果、造影剤の注入量を減らすこともできる。
【００４０】
＜第二実施形態＞
図９及び図１０に基づいて、第二実施形態について説明する。図９は、第二実施形態の動作処理を示すフローチャートである。図１０は、第二実施形態で表示される画面表示例を示す模式図である。
【００４１】
（ステップＳ２００及びＳ２１０）
ステップＳ２００は、ステップＳ１００と同様にＤＳＡ撮影及び回転撮影の準備をする（Ｓ２００）。続いてステップＳ２１０では、ステップＳ２１０と同様に、複数時相のＤＳＡ画像を撮影・生成する（Ｓ２１０）。
【００４２】
（ステップＳ２２０）
ステップＳ２２０は、回転撮影の撮影開始時間及び撮影終了時間を入力する（Ｓ２２０）。撮影計画手段２００は、図１０（ａ）に示す画面を表示する。図１０（ａ）の画面では、造影剤ピーク時相像４０と、時相バー８１、撮影開始時間ポイント８２、撮影終了時間ポイント８３、開始時間エディットボックス８４、終了時間エディットボックス８５、撮影時間アイコン８６、及び回転撮影開始アイコン８７を表示する。操作者は、造影剤ピーク時相像４０上で関心領域を設定し、時相バー８１上の所望位置に撮影開始時間ポイント８２をマウス７０で動かし、開始時間エディットボックス８４により数値入力する。エディットボックスへの数値入力の代わりに、エディットボックス右側のアップダウンスイッチをマウスでクリックすることにより、数値を０．１秒刻みで変更することができる。これにより撮影開始時間が決定される。同様に操作者は、撮影終了時間も決定する。更に、撮影時間アイコン８６をクリックし、所望する撮影時間を入力する。撮影時間を変更すると、撮影開始時間ポイント８２及び撮影終了時間ポイント８３間の距離が伸縮するように左右に移動し、それに合わせて開始時間エディットボックス８４、及び終了時間エディットボックス８５の表示値が更新される。
【００４３】
（ステップＳ２３０）
ステップＳ２３０は、ステップＳ２２０で決定された撮影開始時間及び撮影終了時間で撮影したときに得られると予想される平均値画像を表示する（Ｓ２３０）。
【００４４】
造影剤ピーク時相像４０は、予めＳ２１０で得た複数時相のＤＳＡ画像と関連づけておく。そして、Ｓ２２０で設定した撮影開始時間及び撮影終了時間においてＤＳＡ画像から得られる濃度値を表示した平均値画像８８を生成する。図１０（ｂ）は、平均値画像８８の生成方法を模式的に示す。撮影計画手段２００は、複数時相のＤＳＡ画像に基づいて各画素ごとの時間濃度曲線４１を作り、Ｓ２２０で指定された撮影開始時間及び撮影終了時間（時間濃度曲線における網かけ部）の濃度積分値を撮影時間で除した濃度値を色分け表示して平均値画像８８を生成、表示する。平均値画像８８のほか、最大画素値画像や最小画素値画像を生成、表示してもよい。
【００４５】
（ステップＳ２４０）
ステップＳ２４０では、操作者が平均値画像８８に基づいて対象部位（関心領域）が造影されているか否かを判断する。造影されている場合には、Ｓ２５０へ進む。造影されていなければＳ２２０へ戻り、撮影開始時間及び撮影終了時間、又は回転速度を指定し直す。
【００４６】
（ステップＳ２５０及びＳ２６０）
ステップＳ２５０は、ステップＳ１５０と同様、ステップＳ２２０で設定した撮影タイミングで２次元Ｘ線検出器１２による回転撮影を行う（Ｓ２５０）。続いて、ステップＳ２６０は、ステップＳ１６０と同様に、ＣＴ再構成を行い、動脈瘤の３Ｄ像や腫瘍のＣＴスライス像を表示する（Ｓ２６０）。
【００４７】
本実施の形態により、一枚の造影剤ピーク時相像４０において造影剤のピークタイムを視認することができる。そして、所望する撮影開始時間及び撮影終了時間を指定し、その時間で回転撮影をした場合に造影される血管を操作者が確認した上で、回転撮影を行うことができる。
【００４８】
＜第三実施形態＞
図１１に基づいて、第三実施形態について説明する。図１１は、第三実施形態の動作処理を示すフローチャートである。
【００４９】
（ステップＳ３００及びＳ３１０）
ステップＳ３００は、ステップＳ１００と同様にＤＳＡ撮影及び回転撮影の準備をする（Ｓ３００）。続いてステップＳ３１０では、ステップＳ３１０と同様に、複数時相のＤＳＡ画像を撮影・生成する（Ｓ３１０）。
【００５０】
（ステップＳ３２０）
ステップＳ３２０は、関心領域と閾値を入力する（Ｓ３２０）。撮影計画手段２００は、図１２（ａ）に示す画面を表示する。図１２（ａ）の画面では、造影剤ピーク時相像４０と、所望する断層像における造影剤の濃度値又はＣＴ値の閾値の入力を促すフィールド１２１と、回転を所望する部位の閾値をプリセットしたプリセットボタン１２２とが表示される。操作者は、所望する濃度値又はＣＴ値を入力するか、プリセットボタンをクリックする。（Ｓ３２０）
（ステップＳ３３０）
ステップＳ３３０は、ステップＳ３２０で入力された閾値又は選択されたプリセットボタンに対応する閾値に基づいて撮影開始時間及び撮影終了時間が算出される（Ｓ３３０）。図１２（ｂ）は、撮影開始時間及び撮影終了時間の算出方法を模式的に示す。撮影計画手段２００は、Ｓ３１０で得られた複数時相のＤＳＡ像に基づいて、関心領域を構成する画素の時間濃度曲線１２３を算出し、時間濃度曲線１２３においてＳ３２０で入力又は選択された閾値ａに対応する時間を撮影開始時間及び撮影終了時間として算出する。
【００５１】
（ステップＳ３４０乃至Ｓ３６０）
ステップＳ３４０では、Ｓ２３０と同様、ステップＳ３３０で決定された撮影開始時間及び撮影終了時間で撮影したときに得られると予想される平均値画像を表示する（Ｓ３４０）。続いてステップＳ３５０は、ステップＳ１５０と同様、ステップＳ３３０で設定した撮影タイミングで２次元Ｘ線検出器１２による回転撮影を行い（Ｓ３５０）、ＣＴ再構成を行い表示する（Ｓ３６０）。
【００５２】
なお、Ｓ３２０で入力した閾値では、Ｓ３４０において読影に必要とされる濃度で造影血管が作れない場合には、閾値が不適切であるという警告文や推奨する閾値を表示させてもよい。
【００５３】
本実施の形態により、一枚の造影剤ピーク時相像４０において造影剤のピークタイムを視認することができる。更に、造影剤の濃さ（コントラスト）を確保した上で、適切な撮影タイミングを設定して回転撮影を行うことができる。
【図面の簡単な説明】
【００５４】
【図１】Ｃ型アーム方式のコーンビームＸ線ＣＴ装置の概略構成を示すブロック図
【図２】第一実施形態の処理の流れを示すフローチャート
【図３】複数時相のＤＳＡ画像を示す模式図
【図４】造影剤ピーク時相像を示す模式図
【図５】造影剤ピーク時相像４０の生成方法を説明する模式図
【図６】造影剤ピーク時相像４０上で関心領域を設定する方法を示す模式図
【図７】前頭葉、側頭葉、頭頂葉を造影した結果画像を示した模式図
【図８】第一実施の形態を用いて被検体２の頭部を撮影して得た頭部、動脈瘤患者の３Ｄ表示像
【図９】第二実施形態の動作処理を示すフローチャート
【図１０】第二実施形態で表示される画面表示例を示す模式図
【図１１】第三実施形態の動作処理を示すフローチャート
【図１２】第三実施形態で表示される画面表示例を示す模式図
【符号の説明】
【００５５】
１…コーンビームＸ線ＣＴ装置、２…被検体、３…回転軌道面（ミッドプレーン）、４…回転中心軸、１０…撮影部、１１…Ｘ線源、１１ｔ…Ｘ線管、１１ｃ…コリメータ、１２…２次元Ｘ線検出器、１３…Ｃ型アーム、１４…Ｃ型アーム保持体、１５…天井支持体、１６…天井レール、１７…寝台、１８…インジェクタ、２０…制御演算部、３０…差分画像、４０…造影剤ピーク時相像、７０…情報入力装置、８０…表示装置、１００…撮影部制御手段、１０１…撮影系回転制御手段、１０２…撮影系位置制御手段、１０３…Ｘ線照射制御手段、１０４…インジェクタ制御手段、１０５…再構成手段、１１０…画像収集手段、１２０…再構成手段、１３０…画像表示手段
【図１】
2007021006.tif 000003
【図２】
2007021006.tif 000004
【図３】
2007021006.tif 000005
【図４】
2007021006.tif 000006
【図５】
2007021006.tif 000007
【図６】
2007021006.tif 000008
【図７】
2007021006.tif 000009
【図８】
2007021006.tif 000010
【図９】
2007021006.tif 000011
【図１０】
2007021006.tif 000012
【図１１】
2007021006.tif 000013
【図１２】
2007021006.tif 000014